(57)【要約】  本開示は、光電変換した殆どすべての電荷を高容量時信号に活用することができるようにする固体撮像素子および電子機器に関する。画素は、増幅トランジスタのドレイン側に読み出し行を選択する選択トランジスタを備え、選択トランジスタは、リセットトランジスタによるリセット後に読み出し行を選択し、転送トランジスタは、小容量時の基準電位読み出しの前に、高容量時の基準電位読み出しを行う。本開示は、例えば、積層型の固体撮像素子に適用することができる。
2018110303.tif 000002
【特許請求の範囲】
【請求項１】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと、
前記増幅トランジスタのドレイン側に読み出し行を選択する選択トランジスタと
を備え、
前記選択トランジスタは、前記リセットトランジスタによるリセット後に読み出し行を選択し、
前記転送トランジスタは、小容量時の基準電位読み出しの前に、高容量時の基準電位読み出しを行う
固体撮像素子。
【請求項２】
前記リセットトランジスタのドレイン側の電源は、前記複数のフローティングディフュージョン部の電位制御が可能に構成されており、
前記リセットトランジスタは、読み出し動作後に、前記複数のフローティングディフュージョン部を低電位にリセットする
請求項１に記載の固体撮像素子。
【請求項３】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと、
前記増幅トランジスタのドレイン側に読み出し行を選択する選択トランジスタと
を備え、
前記選択トランジスタは、前記リセットトランジスタによるリセット後に読み出し行を選択し、
前記転送トランジスタは、小容量時の基準電位読み出しの前に、高容量時の基準電位読み出しを行う固体撮像素子と、
前記固体撮像素子から出力される出力信号を処理する信号処理回路と、
入射光を前記固体撮像素子に入射する光学系と
を有する電子機器。
【請求項４】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替え、
前記転送トランジスタは、小容量時の基準電位読み出しの前に、高容量時の基準電位読み出しを行い、
前記リセットトランジスタは、読み出し動作後に、前記複数のフローティングディフュージョン部を低電位にリセットする
固体撮像素子。
【請求項５】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替え、
前記転送トランジスタは、小容量時の基準電位読み出しの前に、高容量時の基準電位読み出しを行い、
前記リセットトランジスタは、読み出し動作後に、前記複数のフローティングディフュージョン部を低電位にリセットする固体撮像素子と、
前記固体撮像素子から出力される出力信号を処理する信号処理回路と、
入射光を前記固体撮像素子に入射する光学系と
を有する電子機器。
【請求項６】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
小容量時の基準電位読み出しの前において、
前記分離トランジスタは、ドレイン側がフローティング状態でゲートをオンし、
前記転送トランジスタは、高容量時の基準電位読み出しを行う
固体撮像素子。
【請求項７】
高容量時の基準電位読み出し後に、
前記分離トランジスタは、ドレイン側がフローティング状態でゲートをオフし、
前記転送トランジスタは、小容量時の基準電位読み出しを行う
請求項６に記載の固体撮像素子。
【請求項８】
前記分離トランジスタは、オフ時の負バイアスが調整される
請求項７に記載の固体撮像素子。
【請求項９】
前記分離トランジスタのしきい値が調整される
請求項７に記載の固体撮像素子。
【請求項１０】
前記複数のフローティングディフュージョン部に寄生するノードが利用されて、前記分離トランジスタのオン時の前記複数のフローティングディフュージョン部の電位が効果される
請求項７に記載の固体撮像素子。
【請求項１１】
前記増幅トランジスタのソース側に読み出し行を選択する選択トランジスタを
さらに備える請求項７に記載の固体撮像素子。
【請求項１２】
前記増幅トランジスタのドレイン側に読み出し行を選択する選択トランジスタを
さらに備える請求項７に記載の固体撮像素子。
【請求項１３】
前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替える
請求項７に記載の固体撮像素子。
【請求項１４】
複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
小容量時の基準電位読み出しの前において、
前記分離トランジスタは、ドレイン側がフローティング状態でゲートをオンし、
前記転送トランジスタは、高容量時の基準電位読み出しを行う固体撮像素子と、
前記固体撮像素子から出力される出力信号を処理する信号処理回路と、
入射光を前記固体撮像素子に入射する光学系と
を有する電子機器。
【発明の詳細な説明】
【技術分野】
【０００１】
本開示は、固体撮像素子および電子機器に関し、特に、光電変換した殆どすべての電荷を高容量時信号に活用することができるようにした固体撮像素子および電子機器に関する。
【背景技術】
【０００２】
従来4Tr.型の画素回路に対して、フローティングディフュージョン（FD）に接続トランジスタと容量を追加し、電荷電圧変換ゲインを切り替えて２回の読み出しを行うことでダイナミックレンジを拡大するセンサが知られている。(例えば、特許文献１)【０００３】
通常のCMOSイメージセンサ（CIS）では、フォトダイオード（PD）で発生した電子を単一のFDで電荷電圧変換する。この時のFDの容量は電荷電圧変換ゲイン（CG）および飽和電荷数（Qs）に関係があり、これらのパラメータにトレードオフが発生する。例えば、容量を小さくした場合、1電子あたりが発生する電圧は大きくなるためCGは高くなるのだが、少ない電子で大きな電圧が発生するため容量は満たされやすくなりQsは小さくなってしまう。容量を大きくした場合には逆のことが発生する。このトレードオフはCISのダイナミックレンジを律速する。【０００４】
特許文献１においてはこのトレードオフを、
・FDの容量をトランジスタスイッチと追加した容量にて切り替えること
および、
・２回の読み出し動作を行うこと
で解決している。【０００５】
FDは極力小さくすることで、CGを高くする。その分、FDでのQsは小さくなってしまうが、容量と接続することで容量を大きくしQsを大きくできる。それぞれの状態で読み出し動作を行い、小容量時の信号を低照度領域に、高容量時の信号を高照度領域に使用することでトレードオフを解消し、ダイナミックレンジを拡大しうる。特に、低照度状態の高感度化がメリットである。
【先行技術文献】
【特許文献】
【０００６】
【特許文献１】特開２０１２−１１９３４９号公報
【発明の概要】
【発明が解決しようとする課題】
【０００７】
しかしながら、特許文献１の読み出し動作では、十分にダイナミックレンジ拡大の恩恵を得られない。小容量モードで読み出した電荷を高容量時の基準電位に用いている（またはリセットしている）ため、大容量モードの信号電荷に寄与しない（信号電荷の損失があった）。【０００８】
本開示は、このような状況に鑑みてなされたものであり、光電変換した殆どすべての電荷を高容量時信号に活用することができるものである。
【課題を解決するための手段】
【０００９】
本技術の第１の側面の固体撮像素子は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタと、前記増幅トランジスタのドレイン側に読み出し行を選択する選択トランジスタとを備え、前記選択トランジスタは、前記リセットトランジスタによるリセット後に読み出し行を選択し、前記転送トランジスタは、小容量時の基準電位読み出しの前に、高容量時の基準電位読み出しを行う。【００１０】
前記リセットトランジスタのドレイン側の電源は、前記複数のフローティングディフュージョン部の電位制御が可能に構成されており、前記リセットトランジスタは、読み出し動作後に、前記複数のフローティングディフュージョン部を低電位にリセットする。【００１１】
本技術の第１の側面の電子機器は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタと、前記増幅トランジスタのドレイン側に読み出し行を選択する選択トランジスタとを備え、前記選択トランジスタは、前記リセットトランジスタによるリセット後に読み出し行を選択し、前記転送トランジスタは、小容量時の基準電位読み出しの前に、高容量時の基準電位読み出しを行う固体撮像素子と、前記固体撮像素子から出力される出力信号を処理する信号処理回路と、入射光を前記固体撮像素子に入射する光学系とを有する。【００１２】
本技術の第２の側面の固体撮像素子は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタとを備え、前記リセットトランジスタのドレイン側の電源は、前記複数のフローティングディフュージョン部の電位制御が可能に構成されており、前記増幅トランジスタは、前記複数のフローティングディフュージョン部の電位制御により、オン／オフを切り替え、前記転送トランジスタは、小容量時の基準電位読み出しの前に、高容量時の基準電位読み出しを行い、前記リセットトランジスタは、読み出し動作後に、前記複数のフローティングディフュージョン部を低電位にリセットする。【００１３】
本技術の第２の側面の電子機器は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタとを備え、前記リセットトランジスタのドレイン側の電源は、前記複数のフローティングディフュージョン部の電位制御が可能に構成されており、前記増幅トランジスタは、前記複数のフローティングディフュージョン部の電位制御により、オン／オフを切り替え、前記転送トランジスタは、小容量時の基準電位読み出しの前に、高容量時の基準電位読み出しを行い、前記リセットトランジスタは、読み出し動作後に、前記複数のフローティングディフュージョン部を低電位にリセットする固体撮像素子と、前記固体撮像素子から出力される出力信号を処理する信号処理回路と、入射光を前記固体撮像素子に入射する光学系とを有する。【００１４】
本技術の第３の側面の固体撮像素子は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタとを備え、小容量時の基準電位読み出しの前において、前記分離トランジスタは、ドレイン側がフローティング状態でゲートをオンし、前記転送トランジスタは、高容量時の基準電位読み出しを行う。【００１５】
高容量時の基準電位読み出し後に、前記分離トランジスタは、ドレイン側がフローティング状態でゲートをオフし、前記転送トランジスタは、小容量時の基準電位読み出しを行うことができる。【００１６】
前記分離トランジスタは、オフ時の負バイアスが調整される。【００１７】
前記分離トランジスタのしきい値が調整される。【００１８】
前記複数のフローティングディフュージョン部に寄生するノードが利用されて、前記分離トランジスタのオン時の前記複数のフローティングディフュージョン部の電位が効果される。【００１９】
前記増幅トランジスタのソース側に読み出し行を選択する選択トランジスタをさらに備えることができる。【００２０】
前記増幅トランジスタのドレイン側に読み出し行を選択する選択トランジスタをさらに備えることができる。【００２１】
前記リセットトランジスタのドレイン側の電源は、前記複数のフローティングディフュージョン部の電位制御が可能に構成されており、前記増幅トランジスタは、前記複数のフローティングディフュージョン部の電位制御により、オン／オフを切り替えることができる。【００２２】
本技術の第３の側面の電子機器は、複数の画素が配列された画素領域を有し、前記画素は、光電変換部と、転送トランジスタと、前記光電変換部からの電荷を、前記転送トランジスタを通じて受け取る複数のフローティングディフュージョン部と、前記複数のフローティングディフュージョン部をリセットするリセットトランジスタと、前記複数のフローティングディフュージョン部の接続をオン／オフ制御する分離トランジスタと、前記複数のフローティングディフュージョン部の電位に対応する信号を出力する増幅トランジスタとを備え、小容量時の基準電位読み出しの前において、前記分離トランジスタは、ドレイン側がフローティング状態でゲートをオンし、前記転送トランジスタは、高容量時の基準電位読み出しを行う固体撮像素子と、前記固体撮像素子から出力される出力信号を処理する信号処理回路と、入射光を前記固体撮像素子に入射する光学系とを有する。【００２３】
本技術の第１の側面においては、光電変換部からの電荷を、転送トランジスタを通じて受け取る複数のフローティングディフュージョン部の電位に対応する信号を出力する増幅トランジスタのドレイン側に備えられた選択トランジスタにより、リセットトランジスタによる前記複数のフローティングディフュージョン部のリセット後に読み出し行が選択され、前記転送トランジスタにより小容量時の基準電位読み出しの前に、高容量時の基準電位読み出しが行われる。【００２４】
本技術の第２の側面においては、光電変換部からの電荷を、転送トランジスタを通じて受け取る複数のフローティングディフュージョン部の電位に対応する信号を出力する増幅トランジスタのドレイン側に備えられた選択トランジスタにより、前記リセットトランジスタによるリセット後に読み出し行が選択され、前記転送トランジスタにより小容量時の基準電位読み出しの前に、高容量時の基準電位読み出しが行われる。【００２５】
本技術の第３の側面においては、小容量時の基準電位読み出しの前において、光電変換部からの電荷を、転送トランジスタを通じて受け取る複数のフローティングディフュージョン部の接続をオン／オフ制御する分離トランジスタによりドレイン側がフローティング状態でゲートがオンされ、前記転送トランジスタにより、高容量時の基準電位読み出しが行われる。
【発明の効果】
【００２６】
本技術によれば、光電変換した殆どすべての電荷を高容量時信号に活用することができる。【００２７】
なお、本明細書に記載された効果は、あくまで例示であり、本技術の効果は、本明細書に記載された効果に限定されるものではなく、付加的な効果があってもよい。
【図面の簡単な説明】
【００２８】
【図１】本技術を適用した固体撮像素子の概略構成例を示すブロック図である。
【図２】第１の実施の形態に係る固体撮像素子の画素の等価回路を示す図である。
【図３】図２の固体撮像素子の駆動方法を説明する図である。
【図４】第２の実施の形態に係る固体撮像素子の画素の等価回路を示す図である。
【図５】図４の固体撮像素子の駆動方法を説明する図である。
【図６】第３の実施の形態に係る固体撮像素子の画素の等価回路を示す図である。
【図７】図６の固体撮像素子の駆動方法を説明する図である。
【図８】第４の実施の形態にかかる固体撮像素子の画素の等価回路を示す図である。
【図９】図８の固体撮像素子の駆動方法を説明する図である。
【図１０】第５の実施の形態にかかる固体撮像素子の画素の等価回路を示す図である。
【図１１】第６の実施の形態にかかる固体撮像素子の画素の等価回路を示す図である。
【図１２】本技術を適用した固体撮像素子の構成例を示す模式図である。
【図１３】本技術を適用したイメージセンサの使用例を示す図である。
【図１４】本技術を適用した電子機器の構成例を示すブロック図である。
【図１５】内視鏡手術システムの概略的な構成の一例を示す図である。
【図１６】カメラヘッド及びＣＣＵの機能構成の一例を示すブロック図である。
【図１７】車両制御システムの概略的な構成の一例を示すブロック図である。
【図１８】車外情報検出部及び撮像部の設置位置の一例を示す説明図である。
【発明を実施するための形態】
【００２９】
以下、本開示を実施するための形態（以下実施の形態とする）について説明する。なお、説明は以下の順序で行う。
０．固体撮像素子の概略構成例
１．第１の実施の形態
２．第２の実施の形態
３．第３の実施の形態
４．第４の実施の形態
５．第５の実施の形態
６．第６の実施の形態
７．固体撮像素子の配置例
８．イメージセンサの使用例
９．電子機器の例
１０．内視鏡手術システムへの応用例
１１．移動体への応用例
【００３０】
＜０．固体撮像素子の概略構成例＞
図１は、本技術の各実施の形態に適用されるCMOS（Complementary Metal Oxide Semiconductor）固体撮像素子の一例の概略構成例を示している。
【００３１】
図１に示されるように、固体撮像素子（素子チップ）１は、半導体基板１１（例えばシリコン基板）に複数の光電変換素子を含む画素２が規則的に２次元的に配列された画素領域（いわゆる撮像領域）３と、周辺回路領域とを有して構成される。
【００３２】
画素２は、光電変換素子（例えば、PD(Photo Diode)）と、複数の画素トランジスタ（いわゆるMOSトランジスタ）を有してなる。複数の画素トランジスタは、例えば、転送トランジスタ、リセットトランジスタ、および増幅トランジスタの３つのトランジスタで構成することができ、さらに選択トランジスタを追加して４つのトランジスタで構成することもできる。
【００３３】
また、画素２は、画素共有構造とすることもできる。画素共有構造は、複数のフォトダイオード、複数の転送トランジスタ、共有される１つのフローティングディフュージョン、および、共有される１つずつの他の画素トランジスタから構成される。フォトダイオードは、光電変換素子である。
【００３４】
周辺回路領域は、垂直駆動回路４、カラム信号処理回路５、水平駆動回路６、出力回路７、および制御回路８から構成される。
【００３５】
制御回路８は、入力クロックや、動作モード等を指令するデータを受け取り、また、固体撮像素子１の内部情報等のデータを出力する。具体的には、制御回路８は、垂直同期信号、水平同期信号、およびマスタクロックに基づいて、垂直駆動回路４、カラム信号処理回路５、および水平駆動回路６の動作の基準となるクロック信号や制御信号を生成する。そして、制御回路８は、これらの信号を垂直駆動回路４、カラム信号処理回路５、および水平駆動回路６に入力する。
【００３６】
垂直駆動回路４は、例えばシフトレジスタによって構成され、画素駆動配線を選択し、選択された画素駆動配線に画素２を駆動するためのパルスを供給し、行単位で画素２を駆動する。具体的には、垂直駆動回路４は、画素領域３の各画素２を行単位で順次垂直方向に選択走査し、垂直信号線(VSL)９を通して各画素２の光電変換素子において受光量に応じて生成した信号電荷に基づいた画素信号をカラム信号処理回路５に供給する。
【００３７】
カラム信号処理回路５は、画素２の例えば列毎に配置されており、１行分の画素２から出力される信号を画素列毎にノイズ除去等の信号処理を行う。具体的には、カラム信号処理回路５は、画素２固有の固定パターンノイズを除去するためのCDS（Correlated Double Sampling）や、信号増幅、A/D（Analog/Digital）変換等の信号処理を行う。カラム信号処理回路５の出力段には、水平選択スイッチ（図示せず）が水平信号線１０との間に接続されて設けられる。
【００３８】
水平駆動回路６は、例えばシフトレジスタによって構成され、水平走査パルスを順次出力することによって、カラム信号処理回路５の各々を順番に選択し、カラム信号処理回路５の各々から画素信号を水平信号線１０に出力させる。
【００３９】
出力回路７は、カラム信号処理回路５の各々から水平信号線１０を通して順次に供給される信号に対し、信号処理を行って出力する。出力回路７は、例えば、バッファリングだけを行う場合もあるし、黒レベル調整、列ばらつき補正、各種デジタル信号処理等を行う場合もある。
【００４０】
入出力端子１２は、外部と信号のやりとりをするために設けられる。
【００４１】
＜１．第１の実施の形態＞
［固体撮像素子の構成例］
本技術に係る固体撮像素子の実施の形態は、複数の画素が２次元行列状に配列された画素領域を有し、画素が次の要素を備える。画素は、物理量を検出し、物理量に応じた電荷を蓄える蓄積部、すなわち光電変換部となるフォトダイオードPDと、フォトダイオードPDから電荷を転送する転送トランジスタを備える。また、画素は、フォトダイオードPDからの電荷を、転送トランジスタを通じて受け取る複数の検出部、すなわち複数のフローティングディフュージョン部FDと、フローティングディフュージョン部FDをリセットするリセットトランジスタを備える。さらに、画素は、複数のフローティングディフュージョン部FD間の接続をオン・オフ制御する分離トランジスタと、フローティングディフュージョン部FDの電位に対応する信号を出力する増幅トランジスタを備える。
【００４２】
図２は、第１の実施の形態に係る固体撮像素子の画素の等価回路を示す図である。本実施の形態では、２つのフローティングディフュージョン部FD１、FD２を有して構成される。画素２は、１つのフォトダイオード(PD)５０と、各１つの転送トランジスタ(TRG)５１、リセットトランジスタ(RST)５２、増幅トランジスタ(AMP)５３、選択トランジスタ(SEL)５４および分離トランジスタ(FDG)５５と、２つの第１フローティングディフュージョン部(FD1)６１および第２フローティングディフュージョン部(FD2)６２を備える。図２の例においては、選択トランジスタ５４は、増幅トランジスタ５３のドレイン側に配置されている。
【００４３】
フォトダイオード５０は、転送トランジスタ５１を介して第１フローティングディフュージョン部６１に接続される。第１フローティングディフュージョン部６１は、増幅トランジスタ５３のゲートに接続されると共に、分離トランジスタ５５を介して第２フローティングディフュージョン部６２に接続される。第２フローティングディフュージョン部６２は、リセットトランジスタ５２に接続されると共に、容量素子(C)６３に接続される。容量素子６３の他端は接地される。この例では、第２フローティングディフュージョン部６２は、寄生容量だけでなく、容量素子６３によりトータルの容量を稼いでいる。容量素子６３は、例えば、ポリシリコンなどで形成しても良いし、他の例では、容量素子６３をあらわに作らず拡散層の寄生容量を利用するだけでも良い。一例として、容量素子６３は、ポリシリコン膜―ゲート酸化膜―Si基板の構造で構成してもよいし、１層目ポリシリコン膜―SiNなどの層間膜―２層目ポリシリコン膜の構造で構成してもよい。増幅トランジスタ５３は、そのドレインが選択トランジスタ５４に接続され、そのソースが垂直信号線９に接続される。なお、図２においては、例えば、FDの寄生するノードとして、FDブースト６４が、ドレインとソース間に示されているが、本技術において用いられるFDの寄生するノードは、FDブースト６４に限定されない。さらに、リセットトランジスタ５２および選択トランジスタ５４のそれぞれのドレインが電源Vddに接続される。
【００４４】
高容量と小容量の読み出しを好適にするためには、第２フローティングディフュージョン部６２は、第１フローティングディフュージョン部６１の２倍乃至２０倍程度の容量を有することが望ましい。そして、第２フローティングディフュージョン部６２の容量は、フォトダイオード５０の飽和電荷を丁度受け切れる程度がよい。
【００４５】
転送トランジスタ５１のゲートは、転送線７１に接続される。分離トランジスタ５５のゲートは、分離線７２に接続される。選択トランジスタ５４のゲートは選択線７３に接続される。リセットトランジスタ５２のゲートは、リセット線７４に接続される。
【００４６】
上記画素２においては、選択トランジスタ５４がオン状態のとき、増幅トランジスタ５３は第１フローティングディフュージョン部６１の電位に対応した信号を垂直信号線(VSL)９に出力する。また、増幅トランジスタ５３は、分離トランジスタ５５がオンした状態では、接続された第１及び第２フローティングディフュージョン部６１及び６２の電位に対応した信号を垂直信号線(VSL)９に出力する。この垂直信号線(VSL)９が前述したように後段回路であるカラム処理回路に接続され、垂直信号線９に出力された信号がカラム処理回路に取り込まれる。リセットトランジスタ５２は、第１、第２フローティングディフュージョン部６１、６２の電荷を電源Vdd、すなわち電源配線に排出して第１、第２フローティングディフュージョン部６１、６２をリセットする。
【００４７】
［駆動方法］
第１の実施の形態の固体撮像素子は、図３に示される駆動方法により駆動するように構成される。図３の例において、SELは、選択トランジスタ５４の駆動タイミングを表し、RSTは、リセットトランジスタ５２の駆動タイミングを表し、FDGは、分離トランジスタ５５の駆動タイミングを表し、TRGは、転送トランジスタ５１の駆動タイミングを表す。FDは、第１及び第２フローティングディフュージョン部６１及び６２の電位変動を表し、VSLは、垂直信号線９の電位変動を表す。
【００４８】
まず、読み出し動作を開始するにあたり、リセットトランジスタ５２と分離トランジスタ５５とがオン状態となることで、FD（以下、第１及び第２フローティングディフュージョン部６１及び６２をまとめてFDと称する）のリセットが行われる。リセットトランジスタ５２がオフ状態となった後、分離トランジスタ５５とがオン状態のままで、選択トランジスタ５４による行選択動作が行われるので、垂直信号線(VSL)９の電位変動がFDに伝搬され、FDの電位を高電位化することができる。
【００４９】
その後、高容量時の基準電位読み出し（Low P相）が行われ、分離トランジスタ５５がオフ状態となることで、小容量時の基準読み出し(High P相)が行われる。
【００５０】
転送トランジスタ５１がオン状態になると、フォトダイオード５０の電荷が第１フローティングディフュージョン部６１に転送され、転送トランジスタ５１がオフ状態になる、小容量時のデータ読み出し（High D相）が行われる。その後、分離トランジスタ５５がオン状態中に、転送トランジスタ５１がオン状態となり、オフ状態となったときに、高容量時のデータ読み出し（Low D相）が行われる。データの読み出し後、選択トランジスタ５４と分離トランジスタ５５がオフされる。
【００５１】
ここで、例えば、小容量時に読み出した電荷を高容量時の基準電位に用いる（またはリセットする）駆動方法の場合、信号電荷の損失があり、大容量時の信号電荷に寄与しなかった。これに対して、図３の駆動方法においては、高容量時の基準電位読み出し（Low P相）は、小容量時の基準読み出し(High P相)の前に行われるようにした。
【００５２】
これにより、フォトダイオード５０で蓄積した電荷がすべて信号電荷に寄与するため、ダイナミックレンジの拡大の恩恵を最大限活用できる。
【００５３】
また、例えば、選択トランジスタ５４による行選択動作と、FDのリセット動作とを同時に行う駆動方法の場合、行選択時に発生する垂直信号線(VSL)９の電位変動を、FDに伝搬することが困難であった（すなわち、FDがリセット電圧に固定されていた）。
【００５４】
これに対して、図３の駆動方法においては、リセットトランジスタ５２によるリセット動作の後に、選択トランジスタ５４による行選択動作が行われるので、垂直信号線(VSL)９の電位変動を、FD(a第１、第２フローティングディフュージョン部６１、６２)に伝搬し、フローティングディフュージョンの電位を高電位化することができる。
【００５５】
これにより、第１、第２フローティングディフュージョン部６１、６２がチャージインデクションにより低電位化する影響をキャンセルでき、転送の阻害を回避することができる。
【００５６】
しかしながら、図３の駆動方法では、増幅トランジスタ５３のゲート容量が、そのまま、垂直信号線(VSL)９に追加されてしまうため、垂直信号線(VSL)９の負荷の増大を防ぐことは困難であった。
【００５７】
＜２．第２の実施の形態＞
［固体撮像素子の構成例］
図４は、第２の実施の形態に係る固体撮像素子の画素の等価回路を示す図である。
【００５８】
図４の画素２の回路構成は、図２の画素２の回路構成と基本的に同じ構成をしている。すなわち、図４の画素２は、１つのフォトダイオード(PD)５０と、各１つの転送トランジスタ(TRG)５１、リセットトランジスタ(RST)５２、増幅トランジスタ(AMP)５３、選択トランジスタ(SEL)５５および分離トランジスタ(FDG)５５と、２つの第１フローティングディフュージョン部(FD1)６１および第２フローティングディフュージョン部(FD2)６２を備える点は、図２の画素２と共通している。ただし、図４の画素２の回路構成は、リセットトランジスタ５３のドレイン側の共通電源VDDが、独立したVDRに入れ替わった点が図２の画素２の回路構成と異なっている。また、このリセット用の独立電源VDRは、高電位と低電位の２値をとり得る。すなわち、リセット用の独立電源VDRは、FDの電位制御が可能に構成されている。
【００５９】
［駆動方法］
第２の実施の形態の固体撮像素子は、図５に示される駆動方法により駆動するように構成される。図５の例において、VDRは、リセット用の独立電源VDRの駆動タイミングを表す。SELは、選択トランジスタ５４の駆動タイミングを表し、RSTは、リセットトランジスタ５２の駆動タイミングを表し、FDGは、分離トランジスタ５５の駆動タイミングを表し、TRGは、転送トランジスタ５１の駆動タイミングを表す。FDは、第１及び第２フローティングディフュージョン部６１及び６２の電位変動を表し、VSLは、垂直信号線９の電位変動を表す。
【００６０】
図５の駆動方法においては、VDRの駆動と、読み出しの後にFD（第１及び第２フローティングディフュージョン部６１及び６２）のリセットとが追加されている。
【００６１】
具体的には、まず、読み出し動作を開始するにあたり、FDのリセットが行われる。このとき、VDRは高電位状態にあり、FDは高電位にリセットされる。後述するが、前フレームの読み出し動作の最後に、VDRの低電位によりFDが低電位にリセットされ、増幅トランジスタ５３がOFFの状態となっている。そのため、この高電位でのリセット動作は、FDのリセットを行う他に、増幅トランジスタ５３をON状態にする効果も有する。
【００６２】
その後、図３の駆動方法と同様に、読み出し動作を順次行う。選択トランジスタ５４の読み出しを終えた後、VDRを低電位状態にしてFDのリセットが行われる。増幅トランジスタ５３がOFF状態になるため、他の行の読み出し期間中に垂直信号線(VSL)９に増幅トランジスタ５３のゲートの容量が重畳することを防ぎ、垂直信号線(VSL)９の負荷を軽減することができる。
【００６３】
ここで、図２および図４の回路構成の場合、選択トランジスタ５４が増幅トランジスタ５３のドレイン側に接続しているため、図３の駆動方法では、増幅トランジスタ５３のゲート容量が垂直信号線(VSL)９の負荷に重畳してしまうことで、垂直信号線(VSL)９のセトリング（電位静定）に時間がかかるため、フレームレートが律速されていた。
【００６４】
これに対して、図５の駆動方法を用いることにより、増幅トランジスタ５３のON/OFFを切り替えることが可能となり、垂直信号線(VSL)９の負荷を軽減し、フレームレートの律速を解消することができる。
【００６５】
＜３．第３の実施の形態＞
［固体撮像装置の構成例］
図６は、第３の実施の形態に係る固体撮像装置の画素の等価回路を示す図である。
【００６６】
図６の画素２の回路構成は、選択トランジスタ５４が除かれた点が、図４の回路構成と異なっている。図６の画素２は、１つのフォトダイオード(PD)５０と、各１つの転送トランジスタ(TRG)５１、リセットトランジスタ(RST)５２、増幅トランジスタ(AMP)５３、および分離トランジスタ(FDG)５５と、２つの第１フローティングディフュージョン部(FD1)６１および第２フローティングディフュージョン部(FD2)６２を備える点は、図４の回路構成と共通している。
【００６７】
［駆動方法］
第３の実施の形態の固体撮像装置は、図７に示される駆動方法により駆動するように構成される。図７の例において、VDRは、リセット用の独立電源VDRの駆動タイミングを表す。RSTは、リセットトランジスタ５２の駆動タイミングを表し、FDGは、分離トランジスタ５５の駆動タイミングを表し、TRGは、転送トランジスタ５１の駆動タイミングを表す。FDは、第１及び第２フローティングディフュージョン部６１及び６２の電位変動を表し、VSLは、垂直信号線９の電位変動を表す。
【００６８】
図７の駆動方法は、選択トランジスタ５４の駆動が除かれた以外、図５の駆動方法から、何も変更はない。すなわち、まず、読み出し動作を開始するにあたり、FDのリセットが行われる。このとき、VDRは高電位状態にあり、FDは高電位にリセットされる。後述するが、前フレームの読み出し動作の最後に、VDRの低電位によりFDが低電位にリセットされ、増幅トランジスタ５３がOFFの状態となっている。そのため、この高電位でのリセット動作は、FDのリセットを行う他に、増幅トランジスタ５３をON状態にする効果も有する。
【００６９】
その後、図３の駆動方法と同様に、読み出し動作を順次行う。読み出しを終えた後、VDRを低電位状態にしてFDのリセットが行われる。増幅トランジスタ５３がOFF状態になるため、他の行の読み出し期間中に垂直信号線(VSL)９に増幅トランジスタ５３のゲートの容量が重畳することを防ぎ、垂直信号線(VSL)９の負荷を軽減することができる。
【００７０】
以上のように、第３の実施形態においては、FD電位の制御により、増幅トランジスタ５３のONとOFFとを切り替えて行選択を行うことが可能となり、その結果、選択トランジスタ５４の除去が可能となった。
【００７１】
一方で、第３の実施の形態においては、第１および第２の実施の形態で効果であった垂直信号線(VSL)９の電位変動を利用したFD電位の高電位化には注意が必要となる。すなわち、読み出し動作の冒頭にFDを高電位でリセットするタイミングにおいて、行選択も開始されるので、垂直信号線(VSL)９の電位変動が開始してしまう。この電位変動が静定するより早くFDリセットを終えて、FDに垂直信号線(VSL)９の電位変動を伝搬しなければならない。よって、リセットトランジスタ５２のONの期間はリセット動作に十分な期間を確保した上で、極力短い時間とする必要がある。
【００７２】
以上のように、本技術によれば、フォトダイオードで光電変換したほとんどすべての電荷を高容量時信号に活用することができ、FD低容量化による高感度化および接続容量によるQs増加の効果を最大限得られ、ダイナミックレンジの拡大に貢献することができる。
【００７３】
また、本技術によれば、垂直信号線の電位変動を利用してFD電位を高電位化するようにしたので、FDがリセット直後に低電位化してしまうのを抑制し、低照度領域での線形性を担保することができる。
【００７４】
さらに、本技術によれば、FDの低電位リセットによる各行の増幅トランジスタのゲート容量が垂直信号線に重畳することを防ぎ、垂直信号線の負荷を軽減することでフレームレートの向上に貢献することができる。
【００７５】
＜４．第４の実施の形態＞
［固体撮像素子の構成例］
図８は、第４の実施の形態にかかる固体撮像素子の画素の等価回路を示す図である。
【００７６】
図８の画素２の回路構成は、選択トランジスタ５４と増幅トランジスタ５３とが逆の位置に配置されている点が、図２の画素２の回路構成と異なっている。図８の画素２は、１つのフォトダイオード５０と、各１つの転送トランジスタ５１、リセットトランジスタ５２、増幅トランジスタ５３、選択トランジスタ５４および分離トランジスタ５５と、第１のフローティングディフュージョン部６１および第２のフローティングディフュージョン部６２を備える点は、図２の画素２と共通している。また、図２の回路構成と同様に、転送トランジスタ５１のゲートは、転送線(TRX)７１に接続されている。分離トランジスタ５５のゲートは、分離(FDG)線７２に接続されている。選択トランジスタ５４のゲートは選択(SEL)線７３に接続されている。リセットトランジスタ５２のゲートは、リセット(RES)線７４に接続されている。
【００７７】
［駆動方法］
第４の実施の形態の固体撮像装置は、図９に示される駆動方法により駆動するように構成される。図９の例において、SELは、選択トランジスタ５４の駆動タイミングを表し、RSTは、リセットトランジスタ５２の駆動タイミングを表し、FDGは、分離トランジスタ５５の駆動タイミングを表し、TRL(TRX)は、転送トランジスタ５１の駆動タイミングを表す。また、VSLは、垂直信号線９の電位変動を表す。なお、VSLにおける点線は、本技術の駆動方法の場合のVSL（実線）と比較するために、例えば、特許文献１に記載の駆動方法の場合のVSLを表している。
【００７８】
まず、読み出し動作を開始するにあたり、選択線７３により選択トランジスタ５４がオンされ、分離線７２とリセット線７４により、分離トランジスタ５５とリセットトランジスタ５２とが同時にオンされることで、FD（第１のフローティングディフュージョン部６１および第２のフローティングディフュージョン部６２）の電位がリセットされる。その後、分離トランジスタ５５がオフした後、リセットトランジスタ５２がオフされると、この状態をコンパータの基準電位としてオートゼロ(高容量時と小容量時のAZ)が実施される。
【００７９】
リセットトランジスタ５２がオフの状態で、分離トランジスタ５５をオンすることにより、分離トランジスタ５５とFDとの間の寄生容量とFDの電荷が、分離トランジスタ５５のチャネルに誘起されることにより、FD電位が上昇することになる。この状態で、高容量時（Low P相）の基準電位読み出しが行われ、分離トランジスタ５５がオフ状態とされる。
【００８０】
これより、分離トランジスタ５５とFDとの間の寄生容量とFDの電荷が、FDに注入される（チャージインジェクション）ことによりFD電位が下降する。この状態で、小容量時(High P相)の基準電位読み出しが行われる。
【００８１】
このとき、FD電位はLow P相で上昇し、High P相で、Low P相と同様の下降を示すことから、FD電位の増減はほぼ０となり、FD電位の低下は回避される。
【００８２】
続けて、転送トランジスタ５１のゲートがオン状態にされて、フォトダイオード５０の電荷が読み出され、小容量時(High D相)の信号電位読み出しが行われる。さらに、分離トランジスタ５５がオン状態にされて、再度転送トランジスタ５１のゲートがオンされて、すべてのPD電荷を読み出すことができ、これが、高容量時(Low D相)の信号電位読み出しとなる。
【００８３】
しかしながら、リセットトランジスタ５２がオフ状態で、分離トランジスタ５５がオン、オフすることによるチャージインジェクションの量を制御することは困難であり、これと共にFD電位の上昇・下降も同じく制御することは困難である。
【００８４】
そこで、第４の実施例の駆動を実施すれば、分離トランジスタ５５がオン,オフ前後の電位変動は０となり、結局FD電位低下は起こらないが、分離トランジスタ５５がオン状態になることによるFD電位の振りあがりが大きすぎる場合にFD電位低下は起こることがある。それは、コンパレータのDレンジをはずして本来のLow P相電位を検出できなかったり、画素電源電圧以上に昇圧された場合も本来のLow P相電位を検出できないからである。
【００８５】
［変形例］
なお、第４の実施例の回路構成や駆動に変更はないが、第１の変形例として、分離トランジスタ５５のオフ時の負バイアスを調整することで、チャージインジェクションの量を制御することができる。
【００８６】
また、第４の実施例の回路構成や駆動に変更はないが、第２の変形例として、分離トランジスタ５５のしきい値Vthを調整することで、チャージインジェクションの量を制御することができる。
【００８７】
さらに、第４の実施例の回路構成において、FDに寄生するノード（例えば、図２のFDブースト６４）を利用して、分離トランジスタ５５のオン時のFD電位を効果させることができる。
【００８８】
＜５．第５の実施の形態＞
［固体撮像素子の構成例］
図１０は、第５の実施の形態にかかる固体撮像素子の画素の等価回路を示す図である。
【００８９】
図１０の画素２の回路構成は、増幅トランジスタ５３のソース側に配置されていた選択トランジスタ５４が増幅トランジスタのドレイン側に配置されている点のみが、図８の画素２の回路構成と異なっている。図８の画素２は、１つのフォトダイオード５０と、各１つの転送トランジスタ５１、リセットトランジスタ５２、増幅トランジスタ５３、選択トランジスタ５４、分離トランジスタ５５と、フローティングディフュージョン部(FD)６１および第２のフローティングディフュージョン部６２を備える点は、図８の回路構成と共通している。
【００９０】
選択トランジスタ５４が、増幅トランジスタ５３のドレイン側に配置されている場合の回路構成であっても、駆動方法は、図９を参照して上述した第４の実施の形態の駆動方法と基本的に同じ動作をし、同じ効果を有するので、その説明は繰り返しになるので省略される。
【００９１】
＜６．第６の実施の形態＞
［固体撮像素子の構成例］
図１１は、第６の実施の形態にかかる固体撮像素子の画素の等価回路を示す図である。図１１の等価回路は、選択トランジスタが除かれて、リセット電位で行選択が行われる場合の例が示されている。
【００９２】
図１１の画素２の回路構成は、選択トランジスタ５４が除かれて、回路８１を介して入力される選択線７３により、リセットトランジスタ５２の電源が、回路８１にVDDHまたはVDDLが印加されることで、選択／非選択が決まる点のみが、図８の画素２の回路構成と異なっている。例えば、(VDDH/VDDL=3.3V/1.2V)程度である。図８の画素２は、１つのフォトダイオード(PD)５０と、各１つの転送トランジスタ５１、リセットトランジスタ５２、増幅トランジスタ５３、および分離トランジスタ５５と、フローティングディフュージョン部６１および第２のフローティングディフュージョン部６２を備える点は、図８の回路構成と共通している。
【００９３】
図１１に示されるように、選択トランジスタ５４が除かれた場合の回路構成であっても、駆動方法は、図９を参照して上述した第４の実施の形態の駆動方法と基本的に同じ動作をし、同じ効果を有するので、その説明は繰り返しになるので省略される。すなわち、選択トランジスタがなく、リセット電位で行選択を行う場合でも、選択行においては、図９のSELの駆動タイミングと同じである。
【００９４】
以上のようにすることで、第４乃至第６の実施の形態に記載の技術によれば、フォトダイオードで光電変換したほとんどすべての電荷を高容量時信号に活用することができ、FD低容量化による高感度化および接続容量によるQs増加の効果を最大限得られ、ダイナミックレンジの拡大に貢献することができる。
【００９５】
また、分離トランジスタのオン／オフの順番を変更し、FD電位の高電位化を行うことで、FDのリセット直後の低電位化を容易に回避し、低照度領域での線形性を担保することができる。
【００９６】
なお、本技術は、上述した固体撮像素子だけでなく、大小画素、画素共有、積層型CISの固体撮像素子にも適用することができる。積層型CISの固体撮像素子の場合の回路構成は、次の図１２に示されるように、上下チップに任意に配置可能である。
【００９７】
＜７．固体撮像素子の配置例＞
図１２は、図１の固体撮像素子１の配置例を示す図である。
【００９８】
固体撮像素子１の画素領域１１、制御回路１０２、および信号処理回路を含むロジック回路１０３の配置は、例えば、図１２のＡ乃至図１２のＣに示す第１乃至第３の配置のいずれかにすることができる。
【００９９】
即ち、固体撮像素子１の画素領域１１、制御回路１０２、およびロジック回路１０３の配置は、図１２のＡに示すように、全てを１つの半導体基板１１１に配置する第１の配置にすることができる。
【０１００】
また、固体撮像素子１の画素領域１１、制御回路１０２、およびロジック回路１０３の配置は、図１２のＢに示すように、積層される２つの半導体基板１１２と半導体基板１１３のうちの一方に画素領域１１と制御回路１０２を配置し、他方にロジック回路１０３を配置する第２の配置にすることができる。図１２のＢの例では、画素領域１１と制御回路１０２は半導体基板１１２に配置され、ロジック回路１０３は半導体基板１１３に配置されている。
【０１０１】
さらに、固体撮像素子１の画素領域１１、制御回路１０２、およびロジック回路１０３の配置は、図１２のＣに示すように、積層される２つの半導体基板１１４と半導体基板１１５のうちの一方に画素領域１１を配置し、他方に制御回路１０２とロジック回路１０３を配置する第３の配置にすることができる。図１２のＣの例では、画素領域１１は半導体基板１１４に配置され、制御回路１０２とロジック回路１０３は半導体基板１１５に配置されている。
【０１０２】
＜８．イメージセンサの使用例＞
図１３は、上述の固体撮像素子を使用する使用例を示す図である。
【０１０３】
上述した固体撮像素子（イメージセンサ）は、例えば、以下のように、可視光や、赤外光、紫外光、X線等の光をセンシングする様々なケースに使用することができる。
【０１０４】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【０１０５】
＜９．電子機器の例＞
＜電子機器の構成例＞
【０１０６】
さらに、本技術は、固体撮像素子への適用に限られるものではなく、撮像装置にも適用可能である。ここで、撮像装置とは、デジタルスチルカメラやデジタルビデオカメラ等のカメラシステムや、携帯電話機等の撮像機能を有する電子機器のことをいう。なお、電子機器に搭載されるモジュール状の形態、すなわちカメラモジュールを撮像装置とする場合もある。
【０１０７】
ここで、図１４を参照して、本技術の電子機器の構成例について説明する。
【０１０８】
図１４に示される電子機器３００は、固体撮像素子（素子チップ）３０１、光学レンズ３０２、シャッタ装置３０３、駆動回路３０４、および信号処理回路３０５を備えている。固体撮像素子３０１としては、上述した本技術の固体撮像素子１が設けられる。
【０１０９】
光学レンズ３０２は、被写体からの像光（入射光）を固体撮像素子３０１の撮像面上に結像させる。これにより、固体撮像素子３０１内に一定期間信号電荷が蓄積される。シャッタ装置３０３は、固体撮像素子３０１に対する光照射期間および遮光期間を制御する。
【０１１０】
駆動回路３０４は、固体撮像素子３０１の信号転送動作、シャッタ装置３０３のシャッタ動作、および図示せぬ発光部の発光動作を制御する駆動信号を供給する。駆動回路３０４は、図示せぬＣＰＵにより設定されたパラメータを用いて各動作を制御する。駆動回路３０４から供給される駆動信号（タイミング信号）により、固体撮像素子３０１は信号転送を行う。信号処理回路３０５は、固体撮像素子３０１から出力された信号に対して各種の信号処理を行う。信号処理が行われた映像信号は、メモリなどの記憶媒体に記憶されたり、モニタに出力される。
【０１１１】
＜１０．内視鏡手術システムへの応用例＞
本開示に係る技術（本技術）は、様々な製品へ応用することができる。例えば、本開示に係る技術は、内視鏡手術システムに適用されてもよい。
【０１１２】
図１５は、本開示に係る技術（本技術）が適用され得る内視鏡手術システムの概略的な構成の一例を示す図である。
【０１１３】
図１５では、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０１１４】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０１１５】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０１１６】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ: Camera Control Unit）１１２０１に送信される。
【０１１７】
ＣＣＵ１１２０１は、ＣＰＵ（Central Processing Unit）やＧＰＵ（Graphics Processing Unit）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０１１８】
表示装置１１２０２は、ＣＣＵ１１２０１からの制御により、当該ＣＣＵ１１２０１によって画像処理が施された画像信号に基づく画像を表示する。
【０１１９】
光源装置１１２０３は、例えばＬＥＤ（light emitting diode）等の光源から構成され、術部等を撮影する際の照射光を内視鏡１１１００に供給する。
【０１２０】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０１２１】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０１２２】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０１２３】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０１２４】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow Band Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ICG）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０１２５】
図１５は、図１４に示すカメラヘッド１１１０２及びＣＣＵ１１２０１の機能構成の一例を示すブロック図である。
【０１２６】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０１２７】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０１２８】
撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（dimensional）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０１２９】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０１３０】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０１３１】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０１３２】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０１３３】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Auto Exposure）機能、ＡＦ（Auto Focus）機能及びＡＷＢ（Auto White Balance）機能が内視鏡１１１００に搭載されていることになる。
【０１３４】
カメラヘッド制御部１１４０５は、通信部１１４０４を介して受信したＣＣＵ１１２０１からの制御信号に基づいて、カメラヘッド１１１０２の駆動を制御する。
【０１３５】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０１３６】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０１３７】
画像処理部１１４１２は、カメラヘッド１１１０２から送信されたＲＡＷデータである画像信号に対して各種の画像処理を施す。
【０１３８】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０１３９】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０１４０】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０１４１】
ここで、図示する例では、伝送ケーブル１１４００を用いて有線で通信が行われていたが、カメラヘッド１１１０２とＣＣＵ１１２０１との間の通信は無線で行われてもよい。
【０１４２】
以上、本開示に係る技術が適用され得る内視鏡手術システムの一例について説明した。本開示に係る技術は、以上説明した構成のうち、例えば、内視鏡１１１００や、カメラヘッド１１１０２（の撮像部１１４０２）、ＣＣＵ１１２０１の画像処理部１１４１２、光源装置１１２０３等に適用され得る。具体的には、例えば、図１、図２、図４、図６、図８乃至図１０の固体撮像素子１は、撮像部１１４０２に適用することができる。撮像部１１４０２および画像処理部１１４１２に本開示に係る技術を適用することにより、フォトダイオードで光電変換したほとんどすべての電荷を高容量時信号に活用することができるため、術者が術部を確実に確認することが可能になる。
【０１４３】
なお、ここでは、一例として内視鏡手術システムについて説明したが、本開示に係る技術は、その他、例えば、顕微鏡手術システム等に適用されてもよい。
【０１４４】
＜１１．移動体への応用例＞
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０１４５】
図１６は、本開示に係る技術が適用され得る移動体制御システムの一例である車両制御システムの概略的な構成例を示すブロック図である。
【０１４６】
車両制御システム１２０００は、通信ネットワーク１２００１を介して接続された複数の電子制御ユニットを備える。図１６に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【０１４７】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０１４８】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０１４９】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０１５０】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０１５１】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０１５２】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【０１５３】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０１５４】
また、マイクロコンピュータ１２０５１は、車外情報検出ユニット１２０３０で取得される車外の情報に基づいて、ボディ系制御ユニット１２０３０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０１５５】
音声画像出力部１２０５２は、車両の搭乗者又は車外に対して、視覚的又は聴覚的に情報を通知することが可能な出力装置へ音声及び画像のうちの少なくとも一方の出力信号を送信する。図１６の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０１５６】
図１７は、撮像部１２０３１の設置位置の例を示す図である。
【０１５７】
図１７では、撮像部１２０３１として、撮像部１２１０１、１２１０２、１２１０３、１２１０４、１２１０５を有する。
【０１５８】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０１５９】
なお、図１７には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０１６０】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０１６１】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０１６２】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０１６３】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０１６４】
以上、本開示に係る技術が適用され得る車両制御システムの一例について説明した。本開示に係る技術は、以上説明した構成のうち、撮像部１２０３１（撮像部１２１０１ないし１２１０４含む）に適用され得る。具体的には、例えば、図１、図２、図４、図６、図８乃至図１０の固体撮像素子１は、撮像部１２０３１に適用することができる。撮像部１２０３１に本開示に係る技術を適用することにより、フォトダイオードで光電変換したほとんどすべての電荷を高容量時信号に活用することができるため、例えば、車載器において、より鮮明な画像を得るという格別な効果を得ることができる。
【０１６５】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０１６６】
また、本開示における実施の形態は、上述した実施の形態に限定されるものではなく、本開示の要旨を逸脱しない範囲において種々の変更が可能である。
【０１６７】
また、以上において、１つの装置（または処理部）として説明した構成を分割し、複数の装置（または処理部）として構成するようにしてもよい。逆に、以上において複数の装置（または処理部）として説明した構成をまとめて１つの装置（または処理部）として構成されるようにしてもよい。また、各装置（または各処理部）の構成に上述した以外の構成を付加するようにしてももちろんよい。さらに、システム全体としての構成や動作が実質的に同じであれば、ある装置（または処理部）の構成の一部を他の装置（または他の処理部）の構成に含めるようにしてもよい。つまり、本技術は、上述した実施の形態に限定されるものではなく、本技術の要旨を逸脱しない範囲において種々の変更が可能である。
【０１６８】
以上、添付図面を参照しながら本開示の好適な実施形態について詳細に説明したが、開示はかかる例に限定されない。本開示の属する技術の分野における通常の知識を有するのであれば、請求の範囲に記載された技術的思想の範疇内において、各種の変更例また修正例に想到し得ることは明らかであり、これらについても、当然に本開示の技術的範囲に属するものと了解される。
【０１６９】
なお、本技術は以下のような構成も取ることができる。
（１）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと、
前記増幅トランジスタのドレイン側に読み出し行を選択する選択トランジスタと
を備え、
前記選択トランジスタは、前記リセットトランジスタによるリセット後に読み出し行を選択し、
前記転送トランジスタは、小容量時の基準電位読み出しの前に、高容量時の基準電位読み出しを行う
固体撮像素子。
（２）  前記リセットトランジスタのドレイン側の電源は、前記複数のフローティングディフュージョン部の電位制御が可能に構成されており、
前記リセットトランジスタは、読み出し動作後に、前記複数のフローティングディフュージョン部を低電位にリセットする
前記（１）に記載の固体撮像素子。
（３）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと、
前記増幅トランジスタのドレイン側に読み出し行を選択する選択トランジスタと
を備え、
前記選択トランジスタは、前記リセットトランジスタによるリセット後に読み出し行を選択し、
前記転送トランジスタは、小容量時の基準電位読み出しの前に、高容量時の基準電位読み出しを行う固体撮像素子と、
前記固体撮像素子から出力される出力信号を処理する信号処理回路と、
入射光を前記固体撮像素子に入射する光学系と
を有する電子機器。
（４）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替え、
前記転送トランジスタは、小容量時の基準電位読み出しの前に、高容量時の基準電位読み出しを行い、
前記リセットトランジスタは、読み出し動作後に、前記複数のフローティングディフュージョン部を低電位にリセットする
固体撮像素子。
（５）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替え、
前記転送トランジスタは、小容量時の基準電位読み出しの前に、高容量時の基準電位読み出しを行い、
前記リセットトランジスタは、読み出し動作後に、前記複数のフローティングディフュージョン部を低電位にリセットする固体撮像素子と、
前記固体撮像素子から出力される出力信号を処理する信号処理回路と、
入射光を前記固体撮像素子に入射する光学系と
を有する電子機器。
（６）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
小容量時の基準電位読み出しの前において、
前記分離トランジスタは、ドレイン側がフローティング状態でゲートをオンし、
前記転送トランジスタは、高容量時の基準電位読み出しを行う
固体撮像素子。
（７）  高容量時の基準電位読み出し後に、
前記分離トランジスタは、ドレイン側がフローティング状態でゲートをオフし、
前記転送トランジスタは、小容量時の基準電位読み出しを行う
前記（６）に記載の固体撮像素子。
（８）  前記分離トランジスタは、オフ時の負バイアスが調整される
前記（７）に記載の固体撮像素子。
（９）  前記分離トランジスタのしきい値が調整される
前記（７）に記載の固体撮像素子。
（１０）  前記複数のフローティングディフュージョン部に寄生するノードが利用されて、前記分離トランジスタのオン時の前記複数のフローティングディフュージョン部の電位が効果される
前記（７）に記載の固体撮像素子。
（１１）  前記増幅トランジスタのソース側に読み出し行を選択する選択トランジスタを
さらに備える前記（６）乃至（１０）のいずれかに記載の固体撮像素子。
（１２）  前記増幅トランジスタのドレイン側に読み出し行を選択する選択トランジスタを
さらに備える前記（６）乃至（１０）のいずれかに記載の固体撮像素子。
（１３）  前記リセットトランジスタのドレイン側の電源は、前記複数のフローティングディフュージョン部の電位制御が可能に構成されており、
前記増幅トランジスタは、前記複数のフローティングディフュージョン部の電位制御により、オン／オフを切り替える
前記（６）乃至（１０）のいずれかに記載の固体撮像素子。
（１４）  複数の画素が配列された画素領域を有し、
前記画素は、
光電変換部と、
転送トランジスタと、
前記光電変換部からの電荷を、前記転送トランジスタを通じて受け取る複数のフローティングディフュージョン部と、
前記複数のフローティングディフュージョン部をリセットするリセットトランジスタと、
前記複数のフローティングディフュージョン部の接続をオン／オフ制御する分離トランジスタと、
前記複数のフローティングディフュージョン部の電位に対応する信号を出力する増幅トランジスタと
を備え、
小容量時の基準電位読み出しの前において、
前記分離トランジスタは、ドレイン側がフローティング状態でゲートをオンし、
前記転送トランジスタは、高容量時の基準電位読み出しを行う固体撮像素子と、
前記固体撮像素子から出力される出力信号を処理する信号処理回路と、
入射光を前記固体撮像素子に入射する光学系と
を有する電子機器。
【符号の説明】
【０１７０】
１  固体撮像素子，  ２  画素，  ３  画素領域，  ９  垂直信号線，  ５０  フォトダイオード，  ５１  転送トランジスタ，  ５２  リセットトランジスタ，  ５３  増幅トランジスタ，  ５４  選択トランジスタ，  ５５  分離トランジスタ，  ６１  第１フローティングディフュージョン部，  ６２  第２フローティングディフュージョンン部，  ６３  容量素子，  ６４  FDブースト，  ７１  転送線，  ７２  分離線，  ７３  選択線，  ７４  リセット線，  ３００  電子機器，  ３０１  固体撮像素子，  ３０２  光学レンズ，  ３０３  シャッタ装置，  ３０４  駆動回路，  ３０５  信号処理回路
【図１】
2018110303.tif 000003
【図２】
2018110303.tif 000004
【図３】
2018110303.tif 000005
【図４】
2018110303.tif 000006
【図５】
2018110303.tif 000007
【図６】
2018110303.tif 000008
【図７】
2018110303.tif 000009
【図８】
2018110303.tif 000010
【図９】
2018110303.tif 000011
【図１０】
2018110303.tif 000012
【図１１】
2018110303.tif 000013
【図１２】
2018110303.tif 000014
【図１３】
2018110303.tif 000015
【図１４】
2018110303.tif 000016
【図１５】
2018110303.tif 000017
【図１６】
2018110303.tif 000018
【図１７】
2018110303.tif 000019
【図１８】
2018110303.tif 000020
【国際調査報告】
2018110303.tif 000021
2018110303.tif 000022
2018110303.tif 000023